(57)【特許請求の範囲】
【請求項１】
接着シートと、当該接着シートと被着体との間に保持されるとともに、前記接着シートを被着体から剥離したときに表出可能な情報用シートとからなる配送伝票であって、
前記情報用シートは、シート中心から所定距離ずれた位置を折り曲げ位置として当該折り曲げ位置で区分される第１及び第２のシート部分を設け、前記折り曲げ位置から折り曲げて第１のシート部分に第２のシート部分を重ね合わせたときに、前記第２のシート部分の端縁よりも外側に第１のシート部分の端部側が所定量はみ出して接着代が形成され、当該接着代と前記第２のシート部分の反合せ面とが前記接着シートに接着可能に設けられていることを特徴とする配送伝票。
【請求項２】
接着シートと、当該接着シートと被着体との間に保持されるとともに、前記接着シートを被着体から剥離したときに表出可能な情報用シートとからなる配送伝票であって、
前記情報用シートは、シート中心から所定距離ずれた位置に第１のミシン目を形成して当該第１のミシン目で区分される第１及び第２のシート部分を設け、前記第１のミシン目に沿ってシートを折り曲げて第１のシート部分に第２のシート部分を重ね合わせたときに、前記第２のシート部分の端縁よりも外側に第１のシート部分の端部側が所定量はみ出して接着代が形成され、当該接着代と前記第２のシート部分の反合せ面とが前記接着シートに接着可能に設けられていることを特徴とする配送伝票。
【請求項３】
前記第１のシート部分若しくは折り曲げ位置には第１のミシン目が形成されるとともに、前記第１のシート部分には第２のミシン目が形成され、前記第１のミシン目と前記第２のミシン目との間の第１のシート部分が切り取り可能に設けられていることを特徴とする請求項１又は２記載の配送伝票。
【請求項４】
前記第１のミシン目と第２のミシン目との間のシート部分は、前記折り曲げ位置からシートを折り曲げたときに、第１のシート部分が第２のシート部分からはみ出すことがないように幅狭部を備えていることを特徴とする請求項３記載の配送伝票。
【請求項５】
前記第１ミシン目及び／または第２のミシン目は、所定間隔を隔てて相互に略平行な二列とされ、これらミシン目の端部には、当該二列のミシン目間のシート部分の切り取り促進部が形成されていることを特徴とする請求項３又は４記載の配送伝票。
【請求項６】
前記第１のシート部分と第２のシート部分との合せ面と、第１のシートの反合せ面とのうち少なくとも１の面が印字面とされていることを特徴とする請求項１ないし５の何れかに記載の配送伝票。
【発明の詳細な説明】
【技術分野】
【０００１】
本発明は配送伝票に係り、更に詳しくは、接着シートと被着体との間に保持された状態で前記接着シートを被着体から剥離しても、情報用シートの情報の秘匿性を維持することのできる配送伝票に関する。
【背景技術】
【０００２】
近時、インターネットやテレビショッピング等の普遍的な拡大に伴い、伝統的な店頭販売に加えて通信販売が普及するに至り、配送業者が販売者に代わって商品を消費者に届ける流通形態が多く見られるようになっている。そのため、配送伝票を通じて商品に関する情報、例えば、商品名、商品価格等が漏洩し得ることとなる。これらの情報は、消費者が購入した商品が何であるかを特定するため、消費者のプライバシーに大きく関わる秘匿情報であるとともに、商品価格は、商品価値を把握できるため、流通過程における盗難防止を図る観点からも秘匿情報といえる。
【０００３】
このような配送伝票としては、例えば、特許文献１に開示されている。同配送伝票は、被着体に貼付したときに表面に位置する副貼付票と、この副貼付票に連設された領収・配達票部、正貼付票とからなり、正貼付票を副貼付票の裏面側に折り畳んで位置させた状態で正貼付票に設けられた接着剤層と、副貼付票の外側に設けられた接着剤層とを被着体に接着させる構成となっている。
【０００４】
【特許文献１】特開２００２−６７５４６号公報
【発明の開示】
【発明が解決しようとする課題】
【０００５】
しかしながら、特許文献１に記載された配送伝票にあっては、副貼付票と被着体との間に保持される正貼付票の一方の面に接着剤層を設け、使用前の状態では接着剤層に剥離シートが仮着される構成となっている。そのため、配送伝票の製造が面倒になるばかりでなく、製造コストも高くなってしまう、という不都合がある。
また、副貼付票を被着体から剥離したときには、前記領収・配達票部や、正貼付票に印字された内容が見えてしまうものであり、情報の秘匿性が要求される場合に対応することもできない。
【０００６】
［発明の目的］
本発明は、このような不都合に着目して案出されたものであり、その目的は、接着シートと被着体との間に保持されるシートとして、一般的な用紙を用いて形成することができ、特別な加工を施す必要がないとともに、情報の秘匿性を確実に維持することのできる情報用シートを備えた配送伝票を提供することにある。
【課題を解決するための手段】
【０００７】
前記目的を達成するため、本発明は、接着シートと、当該接着シートと被着体との間に保持されるとともに、前記接着シートを被着体から剥離したときに表出可能な情報用シートとからなる配送伝票であって、
前記情報用シートは、シート中心から所定距離ずれた位置を折り曲げ位置として当該折り曲げ位置で区分される第１及び第２のシート部分を設け、前記折り曲げ位置から折り曲げて第１のシート部分に第２のシート部分を重ね合わせたときに、前記第２のシート部分の端縁よりも外側に第１のシート部分の端部側が所定量はみ出して接着代が形成され、当該接着代と前記第２のシート部分の反合せ面とが前記接着シートに接着可能に設けられる、という構成を採っている。
【０００８】
また、本発明は、接着シートと、当該接着シートと被着体との間に保持されるとともに、前記接着シートを被着体から剥離したときに表出可能な情報用シートとからなる配送伝票であって、
前記情報用シートは、シート中心から所定距離ずれた位置に第１のミシン目を形成して当該第１のミシン目で区分される第１及び第２のシート部分を設け、前記第１のミシン目に沿ってシートを折り曲げて第１のシート部分に第２のシート部分を重ね合わせたときに、前記第２のシート部分の端縁よりも外側に第１のシート部分の端部側が所定量はみ出して接着代が形成され、当該接着代と前記第２のシート部分の反合せ面とが前記接着シートに接着可能に設けられる、という構成を採り、これによって、前述の目的をより良く達成しようとするものである。
【０００９】
本発明において、前記第１のシート部分若しくは折り曲げ位置には第１のミシン目が形成されるとともに、前記第１のシート部分には第２のミシン目が形成され、前記第１のミシン目と前記第２のミシン目との間の第１のシート部分が切り取り可能に設けられる、という構成を採ることができる。
【００１０】
また、前記第１のミシン目と第２のミシン目との間のシート部分は、前記折り曲げ位置からシートを折り曲げたときに、第１のシート部分が第２のシート部分からはみ出すことがないように幅狭部を備えた構成としてもよい。
【００１１】
更に、前記第１ミシン目及び／または第２のミシン目は、所定間隔を隔てて相互に略平行な二列とされ、これらミシン目の端部には、当該二列のミシン目間のシート部分の切り取り促進部が形成される、という構成も好ましくは採用される。
【００１２】
また、前記第１のシート部分と第２のシート部分との合せ面と、第１のシートの反合せ面とのうち少なくとも１の面が印字面とされている。
【００１４】
なお、本発明において、「印字」は、文字、記号、図形又はこれらの任意の組合せを含む概念として用いられる。また、折り曲げ位置とは、ミシン目、押し付け跡、印刷（印字）等の有形であってもよいし、それらを設けないで無形であってもよい。更に、反合せ面とは、合せ面の反対側の面を意味する。
【発明の効果】
【００１５】
本発明によれば、折り曲げ位置で区分される第１及び第２のシート部分を重ね合わせて第１のシート部分の一部が第２のシート部分からはみ出る部分を接着代とし、当該接着代と第２のシート部分の反合せ面とが接着シートに接着可能に設けられているため、第１及び第２のシート部分の合せ面に情報を印字することで、接着シートを被着体から剥離しても印字内容を見ることができないものとなり、その秘匿性を維持することが可能となる。
また、情報用シート全体は、接着剤層を設ける必要のない普通紙等で構成できるため、製造工程も極めて簡素化できるとともに、製造コストも低廉となる。
更に、第１及び第２のミシン目を設けた構成では、これらミシン目間のシート部分を切り取って保管することが容易となる。
また、幅狭部を設けた構成では、第２のシート部分の面内に幅狭部の端縁が位置することになるため、第１のシート部分が接着シートに接着して切り取りができなくなることを防止できる。
更に、二列略平行のミシン目の端部に切り取り促進部を設けた構成では、当該ミシン目間のシート部分をカットテープとして取り除くことができ、これによって、第１のシート部分を切り取り易くなる。
【発明を実施するための最良の形態】
【００１６】
以下、本発明の実施の形態について図面を参照しながら説明する。
【００１７】
図１には、本発明の情報用シートが配送伝票の一部として用いられた実施形態に係る概略斜視図が示され、図２には、その分解斜視図が示されている。これらの図において、配送商品の梱包ケース等からなる被着体Ｗに貼付された配送伝票１０は、接着シート１１と、この接着シート１１と被着体Ｗとの間に保持された情報用シート１２とにより構成されている。
【００１８】
前記接着シート１１は、平面形状が略長方形の紙若しくはフイルムからなるシート基材１１Ａを用いて構成されている。この接着シート１１は配達票を構成するものであり、その一方の面となる図１中上面側は、配送商品の届け先住所、あて名等の配送情報が印字され、他方の面の全域には、図４に示されるように、接着剤層１１Ｂが設けられている。また、接着シート１１における１箇所のコーナーには、その外縁から外側に突出する剥離用の摘み片１４が接着されている。
【００１９】
前記情報用シート１２は、前記接着シート１１に接着して当該接着シート１１と被着体Ｗとの間に保持され、接着シート１１を被着体Ｗから剥離したときに表出可能に設けられている。この情報用シート１２は、平面形状が略長方形状となる紙若しくはフイルムにより構成され、その長手方向長さＬの中心線Ｃ位置よりも所定距離ずれた位置に折り曲げ位置として機能する第１のミシン目１５が形成され、当該第１のミシン目１５によって第１のシート部分１６と第２のシート部分１７とに区分されている。従って、第１のシート部分１６の長さＬ１は、第２のシート部分１７の長さＬ２よりも長くなり、前記第１のミシン目１５の位置で、前記各シート部分１６、１７を重ね合わせるように折り曲げたときに、第２のシート部分１７の端縁から第１のシート部分１６の一部がはみ出し、当該はみ出したシート部分が接着代２０を構成するようになっている（図４参照）。また、情報用シート１２は、第１のシート部分１６と第２のシート部分１７とを重ね合わせた状態での平面サイズが、前記接着シート１１よりも小さくなるように設定されており、情報用シート１２を接着シート１１に接着させたときに、情報用シート１２の外周に接着シート１１の接着剤層１１Ｂが閉ループ状に表出するように設けられている（図５参照）。
【００２０】
前記第１のシート部分１６には、当該第１のシート部分１６に第２のシート部分１７を重ね合わせたときに、第２のシート部分１７の端縁に沿う第２のミシン目２２が所定間隔を隔てて相互に略平行な状態で二列形成されている。これら第２のミシン目２２は、第１、第２のシート部分１６、１７を第１のミシン目１５に沿って折り曲げたときに、第２のシート部分１７の端縁よりも内側に位置するように形成されている。ここで、第２のミシン目２２の一端部には、図３に示されるように、切り取り促進部を構成する略Ｖノッチ状の切欠部２４が形成され、これら切欠部２４間の端縁を摘んで引き取るように操作することで、ミシン目２２間のシート部分をカットテープと同様の要領で切り取りできるようになっている。
【００２１】
本実施形態において、前記第１のシート部分１６と第２のシート部分１７との合せ面及び第１のシート１６の反合せ面は印字面とされている。第１のシート部分１６の合せ面側と第１のシート１６の反合せ面は、接着シート１１から切り離して保存ができるように納品書や保証書に対応した内容が印字される一方、第２のシート部分１７の合せ面側は、キャンペン情報、宣伝、インフォメーション、クーリングオフの説明等の特に保存の必要のない広告や秘匿性が要求されない情報が印字又は印刷される。
【００２２】
前記配送伝票１０を被着体Ｗに貼付する場合には、図２に示されるように、第１のミシン目１５を折り曲げ位置として、第２のシート部分１７を矢印Ａ方向に折り曲げて第１のシート部分１６に重ね合わせる。これにより、第１、第２のシート部分１６、１７の合せ面に印字された内容は重ね合わされるとともに、第１のシート部分１６の端部が接着代２０として第２のシート部分１７の端縁からはみ出す状態となる。
【００２３】
次いで、第２のシート部分１７の反合せ面と、前記接着代２０を接着シート１１の接着剤層１１Ｂに貼付する（図５参照）。これにより、第１、第２のシート部分１６、１７の合せ面に印字された内容は、隠蔽された状態で接着シート１１に保持される。
【００２４】
接着シート１１に情報用シート１２が接着された状態では、情報用シート１２の外周を囲む状態で、接着シート１１の接着剤層１１Ｂが表出する状態となるため、当該接着剤層１１Ｂを被着体Ｗに接着させることで、接着シート１１と被着体Ｗとの間に情報用シート１２が脱落不能に保持される。
【００２５】
配送商品の受取人は、図６に示されるように、摘み片１４を摘んで引き上げることで、配送伝票１０を被着体Ｗから剥離することができる。この際、情報用シート１２は接着剤層１１Ｂによって接着シート１１と共に剥離される。
【００２６】
剥離された配送伝票１０は、図７に示されるように、前記切欠部２４間のシート部分の端縁を摘んでカットテープと同様の要領にてシート部分を切り取ることができる。そして、この切り取りが完了した後に、図８に示されるように、第１のシート部分１６を摘んで引き上げれば、第１のミシン目１５に沿って切り取りでき、接着代２０と第２のシート部分１７とを接着シート１１側に残して第１のシート部分１６の一部を切り取ることができ、印字内容の視認、保管が可能となる。
【００２７】
従って、このような実施形態によれば、接着シート１１を剥離しただけでは情報用シート１２の合せ面に印字された内容を外部より見ることができないものとなり、情報の秘匿性を確保することができる、という効果を得る。しかも、第１のシート部分１６に接着代２０が設けられていることで、情報用シート１２に接着剤層を別途設ける必要がないので、安価な情報用シート１２を提供することができる。
【００２８】
以上のように、本発明を実施するための最良の構成、方法等は、前記記載で開示されているが、本発明は、これに限定されるものではない。
すなわち、本発明は、主に特定の実施形態に関して特に図示、説明されているが、本発明の技術的思想及び目的の範囲から逸脱することなく、以上説明した実施形態に対し、形状、位置若しくは配置等に関し、必要に応じて当業者が様々な変更を加えることができるものである。
【００２９】
例えば、図９に示されるように、前記第１のミシン目１５と第２のミシン目２２との間のシート部分において、第１のミシン目１５に沿って情報用シート１２を折り曲げたときに、第１のシート部分１６が第２のシート部分１７からはみ出すことがないように幅狭部３０を備える構成とすることができる。これによれば、第１のシート部分１６が接着シート１１の接着剤層１１Ｂに接着して切り取りができなくなることを防止することができる。
【００３０】
また、前記摘み片１４は、特に設けることを要しない。この場合において、接着シート１１のコーナー部分に接着剤層を設けない構成とすれば、実質的に同様の捲り易さを得ることができる。
【００３１】
また、前記実施形態では、情報用シート１２が二つ折りされる場合を示したが、三つ折り以上としてもよい。この場合には、折り畳まれた情報用シートに一対の接着代が形成されるように折り幅を変更することで情報の秘匿性を確保することができ、また、情報量を増加させる場合にも対応可能となる。
【００３２】
更に、前記実施形態では第１のミシン目１５で情報用シート１２を折り曲げるように図示し、説明したが、必ずしも第１のミシン目１５で折り曲げる必要はない。この場合、図１０に示されるように、第１のシート１６の面内において、折り曲げ位置から接着代２０側にずれた位置に第１のミシン目１５が配置されるように構成すればよい。
【００３３】
また、図１１に示されるように、第１のミシン目１５も第２のミシン目２２と同様に、所定間隔を隔てて相互に略平行な状態で二列に形成してもよい。
【００３４】
更に、前記配送伝票１０の平面形状は図示構成例に限定されるものではなく、接着シート１１の面内に情報用シート１２を接着させて、接着シート１１が被着体Ｗに貼付できるように構成されていればよい。
【００３５】
また、前記情報用シート１２の形状も図示構成例に限定されるものではなく、円形、楕円形、多角形のような他の形状のものも採用できる。このような場合でも、図１１に示されるように、第２のシート部分１７の端縁よりも外側に第１のシート部分１６の端部側が所定量はみ出して接着代２０が形成され、第２のシート部分１７の端縁に沿う第２のミシン目２２が形成されていればよい。
【００３７】
また、前記切欠部２４に替えて、所定長さの切り込みを形成することで切り取り促進部とすることができる。
【００３８】
更に、第１、第２のミシン目１５、２２は、情報用シート１２を貫通する穴やスリット等が所定間隔を隔てて連続的に形成されているものであって、その径や、幅、長さ、形状、間隔、スリットの向き等に関して特に限定されるものではない。
【００３９】
また、前記接着シート１１に疑似接着剤等によって受領書として機能する層を設け、配達者が受領印等の証明を受取人からもらうように構成してもよい。
【図面の簡単な説明】
【００４０】
【図１】本実施形態に係る配送伝票が被着体に貼付された使用状態を示す概略斜視図。
【図２】図１の分解斜視図。
【図３】第１のシート部分の一部拡大平面図。
【図４】接着シートに情報用シートを貼付した配送伝票の側面図。
【図５】図４の配送伝票を下面側から見た斜視図。
【図６】被着体に貼付された配送伝票を剥離する状態を示す斜視図。
【図７】第２のミシン目間のシート部分を切り取る状態を示す斜視図。
【図８】第１のシート部分を切り取る状態を示す斜視図。
【図９】変形例に係る情報用シートを示す図２と同様の分解斜視図。
【図１０】本発明の更に他の変形例に係る情報用シートを示す図８と同様の斜視図。
【図１１】本発明の他の変形例に係る情報用シートを示す図７と同様の斜視図。
【符号の説明】
【００４１】
１０  配送伝票
１１  接着シート
１２  情報用シート
１５  第１のミシン目（折り曲げ位置）
１６  第１のシート部分
１７  第２のシート部分
２０  接着代
２２  第２のミシン目
３０  幅狭部
２４  切欠部（切り取り促進部）
Ｗ  被着体
【図１】
0005452857.tif 000002
【図２】
0005452857.tif 000003
【図３】
0005452857.tif 000004
【図４】
0005452857.tif 000005
【図５】
0005452857.tif 000006
【図６】
0005452857.tif 000007
【図７】
0005452857.tif 000008
【図８】
0005452857.tif 000009
【図９】
0005452857.tif 000010
【図１０】
0005452857.tif 000011
【図１１】
0005452857.tif 000012